(57)【特許請求の範囲】
【請求項１】
包み込むようになっている装飾要素（１０）から形成されるブレスレットであって、装飾要素（１０）は、一方でキャップ（１３）により他方で底部（１５）により形状が定められた貫通路（１２）が設けられ、その貫通路の奥行きの一部に、中間部分で中央リブ（１６）が、その両側面部に側方縁部（１８）が、前記キャップ（１３）を底部（１５）への追加の厚さとなるように形成されたそれぞれの脚（１７、１９）に連結するように設けられ、前記脚（１７、１９）が線（Ｘ−Ｘ’）に対して対称な２つの溝（１１）を形成し、前記装飾要素が、非伸長性の連接式チェーンに取り付けられており、その連接式チェーンは、対称線（Ｘ−Ｘ’）に沿って長手方向に延在し、交互に貫通路（１２）に収容されたリンク（２０）から形成され、各装飾要素（１０）が定位置に取り付けられた後に回転ピン（４、５）に係合したヒンジとして組み立てられるブレスレットにおいて、各リンク（２０）が中央スロット（２）を有し、中央スロット（２）は装飾要素（１０）の前記中央リブ（１６）に対して相補的であり、中央スロット（２）の底部は、ピンの孔（９）が通過するブリッジ（７）を形成し、そのブリッジ（７）が２つの対称な結合要素（２１、３１）を結合し、それらの本体（２２、３２）が、中央リブ（１６）と側方縁部（１８）との間の距離より実質的に小さい幅を有し、結合要素（２１、３１）はそれぞれ、一方の端に側方アーム（２８、３８）を備え、その側方アーム（２８、３８）は、本体（２２、３２）から一方の側方縁部（１８）の厚さに対応する距離だけ飛び出しており、そこにピンの孔（２９、３９）が設けられ、ブリッジ７とともにくぼみ（２３、３３）を形成し、そのくぼみ（２３、３３）は、ピンの孔（２５、３５）を備えた反対側端部の突出部（２４、３４）と相補的形状であり、前記ピンの孔（９、２５、３５）の縁部またはくぼみ（２３、３３）の縁部、および突出部（２４、３４）に、次のリンクに対するリンクの移動の角度範囲を線（Ｘ−Ｘ’）を通る垂直平面内で角度（α）に制限させることができるブロッキング手段が設けられたことを特徴とするブレスレット。
【請求項２】
ブロッキング手段が、
２つの突出部（２４、３４）のピンの孔（２５、３５）の向き合っている端部に設けられた環状の止め具（２６、３６）と、
この２つの突出部（２４、３４）のピンの孔（２５、３５）の向き合っている端部に設けられた環状の止め具（２６、３６）と協働する１８０°で前記リンク（２０）の底面に対して垂直なショルダを有したブリッジ（７）のピンの孔（９）の各端部に２つの環状の止め具（２７、３７）と、
によって形成され、
前記２つの突出部（２４、３４）のピンの孔（２５、３５）の向き合っている端部に設けられた環状の止め具（２６，３６）は１８０°未満の角度で形成され、キャップ（１３）側のショルダは前記リンク（２０）の上面に対して垂直で、他方のショルダは底部（１５）側で角度（α）で傾けられていることを特徴とする請求項１に記載のブレスレット。
【請求項３】
ブロッキング手段が、突出部（２４、３４）の端部に底部（１５）側で角度（α）で曲げられた突起（３０）により形成され、その突起（３０）は、各結合要素（２１、３１）の厚さ内で底部（１５）側に設けられる相補的な形状のくぼみ（４０）と協働し、かつくぼみ（２３、３３）の縁部に連結されて設けられていることを特徴とする請求項１に記載のブレスレット。
【請求項４】
装飾要素（１０）の脚（１７、１９）によって、貫通路（１２）の底部と回転ピン（４、５）のヒンジとの間に一定の遊びが形成されることを特徴とする請求項１乃至３のいずれか１項に記載のブレスレット。
【請求項５】
装飾要素が、セラミック等の固い材料の単一片でつくられることを特徴とする請求項１乃至４のいずれか１項に記載のブレスレット。
【発明の詳細な説明】
【０００１】
【発明の属する技術分野】
本発明は、圧縮または衝撃に敏感である複数の環状の装飾要素を備えた、特に時計用の非伸長性の連接式ブレスレットである。その装飾要素は、回転軸で互いに連接されて互いに協働し、かつかつ装飾要素と協働して圧縮または衝撃によって前記要素が破壊されるのを防ぐように設計された、リンクの内部チェーンで形成された中央芯に配列されている。
【０００２】
本発明は、特に装飾要素が摩耗に対する非常に高い抵抗を有するが、衝撃に対する抵抗は低いセラミック・ベースの複合材等の材料で作られているこのタイプのブレスレットに関する。
【０００３】
【従来の技術】
より高貴な材料でできた自由リンクを形成する外部の装飾要素により全体的にまたは部分的に覆われている、本質的に機械的な機能を有する基礎材料から作られる中央の芯を有する非伸長性ブレスレットは、先行技術の様々な文書で既に開示されている。あるものは、さらに外部要素を破損するような過度の曲げを防ぐという目的を有する。
【０００４】
フランス特許Ｎｏ．２  ５０２  ９１６は、手首側が開いている装飾要素を自由に通すことができる内部チェーンで作られた時計ブレスレットを開示する。内部チェーンは互いの内部で嵌合されることができるスタッド部分およびスロット部分をそれぞれ備える固いリンクで形成され、かつピンによりそれらを組み立て状態に保つ。この穴に面するスタッドの面は、手首の自然なカーブにフィットするように次のリンクに関する内部リンクの運動範囲を制限するある傾きを有する。必然的に個々の装飾要素間に存在しなければならない遊びのために、装飾要素は、内部チェーンの対応するリンクを完全には覆わないこともあるし、ブレスレットが曲げられる場合、破損されることもある。
【０００５】
前記の欠点を克服するために、欧州特許Ｎｏ．０  ５４９  ９７９は、止め具により横方向に設けられる中央の通路を自由状態のままにして、装飾要素が包み込み、また、それらがブロッキング・バーにより各リンク上に正確に配置されるような装置を提案している。装飾要素の反対面は相補的に丸い形であるが、内部チェーン上にそれの移動範囲を制限することができる手段は提供されず、過度の曲げによる破損の危険をなくしてはいない。
【０００６】
欧州特許Ｎｏ．０  ７３６  ４８０で開示された非伸長性ブレスレットは、許容できる曲がり角をさらに決定するリンク要素により接続される２つのピンを備える連続する２つのリンク間の比較的複雑な連接装置を開示しており、各包み込み装飾要素は、前記要素を通す挿入とピンによるスナップ付けによってこの連接装置上に保持される。
【０００７】
【発明が解決しようとする課題】
本発明の目的は、内部チェーンのリンクが互いとおよびそれらに通された装飾要素とともに、ブレスレットが曲げられる際または例えばそのようなブレスレットが付属した時計を地面へ落とした偶然の衝撃の場合に、前記装飾要素の圧縮の危険を防ぐまたは制限するための非伸長性の連接式ブレスレットを提供することで、この先行技術の欠点を克服することである。
【０００８】
【課題を解決するための手段】
したがって本発明は、リンクで形成された非伸長式連接内部チェーンに取り付けられた、包み込み装飾要素で形成されたブレスレットに関し、そのリンクの特別な形状が、装飾要素を通る貫通路の構造と協働して、次のリンクに関するリンクの移動角度の範囲がブレスレットの長手方向の対称線Ｘ−Ｘ’を通る鉛直平面内で角度αに制限されるようになっている。
【０００９】
各装飾要素は、貫通路の奥行きの一部に、キャップ、すなわち見える部分を、底部の追加厚みとして作られた脚に接続する、中央リブと２つの側方端部とを有する。前記脚は線Ｘ−Ｘ’に関して対称な２つの溝を形成する。
【００１０】
各リンクは中央スロットを備え、中央スロットは装飾要素のリブに対して相補的で、中央スロットの底部はピンの孔が通り抜けるブリッジを形成する。ブリッジは、その本体が中央リブと側端との間の距離より本質的に小さな幅を有する２つの対称な結合要素を接続する。各結合要素は、一方の端部に側方アームを備えている。その側方アームは、ピンの孔備え、本体を越えて一方の縁部の厚さに対応する距離だけ飛び出しており、ピンの孔がやはり通る反対側の端部の突出部に対して相補的なくぼみをブリッジとともに形成する。ピンの孔の縁部またはくぼみおよび突出部の縁部には、次のリンクに対するリンクの曲がり角を制限するブロッキング手段が設けられている。
【００１１】
第１の実施態様によれば、ブロッキング手段は、垂直なショルダを有する２つの環状の止め具によりブリッジのピンの孔の各端部に形成され、その２つの環状の止め具は、２つの突出部の穴に向き合っている端部に設けられた環状の止め具と協働し、後者の環状の止め具は、１つはキャップ側で垂直な、他は底部側で角度αで傾いた１８０°未満の角度を形成するショルダを備える。
【００１２】
別の実施態様によれば、ブロッック手段は各突出部の端部に底部側で角度αで曲がった突起により形成され、その突起は、各結合要素の厚み中の底部側に設けられ、くぼみの縁部に連なっている相補的な形のくぼみと協働する。
【００１３】
底部と縁部との間に脚が存在すること、および、リブによって、装飾要素上に応力をおよぼすことなく値αよりわずかに大きい曲りを吸収するようにする一定の遊びが可能になることがさらに観察される。
【００１４】
本発明の他の利点および特徴は、添付の図面に関して、図示と制限のない例による以下の実施形態の例の記述を読むことでより明確になるだろう。
【００１５】
【発明の実施の形態】
図１は、拡大した透視図で、対称線Ｘ−Ｘ’に沿って並べられた２つの装飾要素１０、１０ａおよび３つのリンク２０、２０ａ、２０ｂで形成され、回転ピン４、５により組み立てられるブレスレットの一部分を示す。第１のブレスレット要素１は、装飾要素１０ａの貫通路１２内に方向Ｘ−Ｘ’で所定の位置に置かれたリンク２０ａとともに示されている。第２のブレスレット要素３を組立てるために、リンク２０はリンク２０ａに係合され、それらがピン４により接続され、その上に装飾要素１０が、やはりＸ−Ｘ’方向に並べられる。同じ方法で、リンク２０中にリンク２０ｂを係合させ、回転ピン５により結合することにより前述の工程が繰り返される。
【００１６】
前面６から後面８への貫通路１２の特別な構造をより明確に示すために、扁平リング状の形状を有する装飾要素１０を部分的に切断して示してある。貫通路１２は、その上部が、すなわち見える部分がキャップ１３によって、ユーザの手首に接している裏である底部１５によって外形が決められ、これら２つの部分は丸みのある縁部１４により連結されている。奥行きのほぼ半分から後面８まで、貫通路１２は、キャップ１３の内壁と連結した中央リブ１６と底部１５の内壁上に追加厚みを加えるように形成された脚１７を有するとともに、他方で、側面にキャップ１３に連結する縁部１８と、同様に底部１５に追加厚みを加えるように形成された脚１９を有する。リブ１６の脚１７は、縁部１８の脚１９とともに、軸Ｘ−Ｘ’に対して対称な２つの溝１１の境界を定める。この対称な構造は図６に示す断面でより明確になる。さらに、図６で示されるのは、リブ１６、縁部１８、および脚１７、１９が、装飾要素１０を結合要素２１、３１の支持範囲に制限するのに寄与することである。その際、底部１５の内面とリンクの本体２１、３１と向かい合う面の間で、他方で、縁部１８のそれぞれと本体の縁部との間で、十分な遊びを持たせる。一方、ブレスレット要素は、リブ１６とスロット２（図２）とが協働する結果、軸Ｘ−Ｘ’に沿って完全に整列する。
【００１７】
示された例において、装飾要素１０は最も単純な幾何学形状を与えられるが、例えば、くぼんだ形状にキャップを作ることにより、異なる美的外観を与えられることが可能であることは明白である。同様に、前面および後面６および８は、例えば図７Ａおよび図７Ｂの横断面図に現れるような相補的な包み込み形状を持持っても良い。この装飾要素は任意のタイプの材料の単一の固体片で作られてもよいが、本発明の目的の１つは、魅力的な外観、および摩耗および引掻きに対する高い耐性を有するが、圧縮と衝撃に対しては耐性がいまだ低い材料を使用可能にすることである。このタイプの材料は、例えば成型および焼結により所望の形を得ることが容易にできるセラミック材料である。
【００１８】
次いで、図２および図３をさらに参照にして、内部チェーンのリンク２０を説明する。見られるように、各リンクは、装飾要素１０の中央リブ１６の厚さを幅として持つ中央スロット２の両側に対称な構造を有する。このスロット２の底部は、２つの結合要素２１および３１を接続し、ピンの孔９が通るブリッジ７を形成している。各結合要素２１、３１は、装飾要素１０の中央リブ１６と側方縁部１８との間隔よりも本質的に小さな幅を持つ本体２２、３２で形成される。各結合要素２１、３１は、一方の端部に、本体２２、３２から横に飛び出して延びる側方アーム２８、３８を有している。その長さは、装飾要素１０の縁部１８の厚さとほぼ等しくされている。その結果、本体２２、３２の他方の端部に向けられた垂直な表面２８ａ、３８ａが、装飾要素１０をリンク２０内に通したときに、縁部１８に当たる。ブリッジ７のピンの孔９と整列したピンの孔２９、３９はアーム２８、３８を通る。アーム２８、３８は、ブリッジ７とともに、本体２２の反対端部の突出部２４、３４に対する相補的な形のほぼ長方形のくぼみ２３、３３の境界を定める。２つの突出部２４および３４は、整列したピンの孔２５および３５を備える。
【００１９】
図１ないし図３、および図７Ａないし図８Ｂに示される例の中で、次のリンクに対してのリンクの曲げを角度αに制限するためのブロッキング手段は、一方で、ブリッジ７のピンの孔９の両端部と本体２１、３１のブリッジとは反対側の端部の突出部２４、３４のピンの孔２５、３５の向き合った端部に形成される。これらのブロッキング手段は、ブリッジ７では、１８０°で垂直なショルダ３７ａ、３７ｂを有する環状の止め具３７（対応する２７）によって構成され、突出部２４、３４では、キャップ１３の側で垂直なショルダ３６ａと底部１５の側で角度α傾いたショルダ３６ｂを有する環状の止め具３６（それぞれ２６）によって構成され、これら２つのショルダ３６ａ、３６ｂの間の角度は、１８０°未満である。角度αの値は、ブレスレット要素の幅およびそれが置かれるべき手首のサイズに明らかに依存するが、中間値１８°が完全に適切であることが例により示すことができる。したがって、図７Ａおよび図８Ａで示されるように、ブレスレットが平らに配置される場合、リンク２０’のショルダ３６ａは次のリンク２０のショルダ３７ａに接し、ショルダ３６ｂおよび３７ｂは角度αを形成する。反対に、ブレスレットが曲げられる場合、ショルダ３６ｂおよび３７ｂは接し、ショルダ３６ａおよび３７ａは角度αを形成する。同様にして、このブロッキング装置は他のピンの孔の端に形成させても良い。
【００２０】
図８Ａおよび図８Ｂに特に見られるように、装飾要素１０の正面６と後面８はそれらが覆っているリンクを越えて伸びる相補的な丸い形とされ、ブレスレットが曲げられた際にキャップを形成している部分が同様に内部チェーンをも覆うようにしている。ブレスレットが曲げられた際の底部の移動範囲を許すために、本体２２、３２はピンの孔２５、３５の後に中空部分４１を備える。図８Ａおよび図８Ｂと同じ断面に沿った、キャップが互いにカバーしていないより単純な実施形態に対応した図９Ａおよび図９Ｂで見られるように、中空部分４１を維持することが必要かもしれない。
【００２１】
今図４および図５には今記載されたものとは異なる内部チェーンのリンクの代替の実施形態が示されている。この例ではピンの孔に止め具が形成されていない。この変形例では、ブロッキング手段は、各結合要素２１、３１に対して、底部１５に向けて角度αで曲げられ、また各突出部２４、３４から伸び出した部分に位置する突起３０によりブロッキング手段が形成される。この突起３０は、突起３０に対する相補的形状を持ち、またくぼみ２３、３３の縁部で本体の厚さの中に形成されるくぼみ４０内で振幅αの移動範囲を有する。
【００２２】
今記述されたリンクは、金属素材片の機械加工または金属の薄板から切断された型のサンドイッチ加工等の知られている技術により得ることができる。
【００２３】
当業者の把握の範囲内での様々な単純な変形および修正もまた本発明の範囲内になることは言うまでもない。
【図面の簡単な説明】
【図１】２つの装飾要素を備えるリンクの組立体の拡大した透視図である。
【図２】内部チェーンのリンクの上面図である。
【図３】図２の線ＩＩＩ−ＩＩＩに沿った横断面図である。
【図４】内部チェーンのリンクの他の実施形態の上面図である。
【図５】図４の線Ｖ−Ｖに沿った横断面図である。
【図６】リンクが通される装飾要素の図１の線Ｖｌ−ＶＩに沿った横断面図である。
【図７Ａ】平らに配置された４つのブレスレット要素の図６の線ＶＩＩ−ＶＩＩに沿った横断面図である。
【図７Ｂ】曲がった位置の図７Ａの４つのブレスレット要素を示す図である。
【図８Ａ】平らに配置された４つのブレスレット要素図６の線ＶＩＩＩ−ＶＩＩＩに沿った横断面図である。
【図８Ｂ】曲がった位置の図８Ａの４つのブレスレット要素を示す図である。
【図９Ａ】他の装飾要素を有する４つのブレスレット要素の図８Ａと同一の横断面図である。
【図９Ｂ】曲がった位置の図９Ａの４つのブレスレット要素を示す図である。
【符号の説明】
１  第１のブレスレット要素
２、３  第２のブレスレット要素
４、５  回転ピン
６  前面
７  ブリッジ
８  後面
９  ピンの孔
１０  装飾要素
１１  溝
１２  貫通路
１３  キャップ
１４  縁部
１５  底部
１６  中央リブ
１７、１９  脚
１８  縁部
２０、２０ａ、２０ｂ  リンク
２１、３１  結合要素
２２、３２  本体
２３、３３  くぼみ
２４、３４  突出部
２５、３５  ピンの孔
２６、２７、３６、３７  環状の止め具
２８、３８  側方アーム
２９、３９  ピンの孔
３０  突起
４０  くぼみ
４１  中空部分
【図１】
0004564195.tif 000002
【図２】
0004564195.tif 000003
【図３】
0004564195.tif 000004
【図４】
0004564195.tif 000005
【図５】
0004564195.tif 000006
【図６】
0004564195.tif 000007
【図７ａ】
0004564195.tif 000008
【図７ｂ】
0004564195.tif 000009
【図８ａ】
0004564195.tif 000010
【図８ｂ】
0004564195.tif 000011
【図９ａ】
0004564195.tif 000012
【図９ｂ】
0004564195.tif 000013